(57)【要約】【課題】巻回体の脱落や飛び出しを抑制可能とし、かつ、巻回体の取り出し操作を円滑に実行可能とした巻回体収納箱、および、巻回体入り収納箱を提供する。【解決手段】上辺２１Ｔに連設して上辺２１Ｔを回動軸として回動可能な抑え片２６と、抑え片２６に連設して抑え片２６と一体に回動可能な保持片２７と、を備え、抑え片２６は、開口２０Ｔの一部を塞ぐ閉位置と、開口の上方に位置して開口を開放する開位置とに回動し、保持片２７は、抑え片２６の位置が閉位置である状態で、容器本体２０内に巻回体５０Ｒを回動可能に支持し、抑え片２６の閉位置から開位置への回動に伴い、巻回体５０Ｒを支持して巻回体５０Ｒを開口２０Ｔに向けて変位させる。【選択図】図３
2019172338.tif 000002
【特許請求の範囲】
【請求項１】
長尺物が巻かれた巻回体を収納するための容器本体であって、底板と対向する開口を前板、後板、および、左右一対の脇板の各上辺で区画する前記容器本体と、
一つの上辺に連設して当該上辺を回動軸として回動可能な抑え片と、
前記抑え片に連設して前記抑え片と一体に回動可能な保持片と、を備え、
前記抑え片は、前記開口の一部を塞ぐ閉位置と、前記開口の上方に位置して前記開口を開放する開位置とに回動し、
前記保持片は、前記抑え片の位置が前記閉位置である状態で、前記容器本体内に前記巻回体を回動可能に支持し、前記抑え片の前記閉位置から前記開位置への回動に伴い、前記巻回体を支持して前記巻回体を前記開口に向けて変位させる
巻回体収納箱。
【請求項２】
前記保持片は、前記抑え片の位置が前記開位置である状態で、前記巻回体の外周面における前記底板側に位置し、前記巻回体の外周面に追従した弧状片である
請求項１に記載の巻回体収納箱。
【請求項３】
前記抑え片が連設する上辺は、前記前板の上辺であり、
前記抑え片は、前記前板の上辺における左右方向の幅のうち６０％以上の幅にわたって位置し、
前記保持片は、前記抑え片の左右方向の両端に位置する
請求項１または２に記載の巻回体収納箱。
【請求項４】
前記保持片は、前記保持片の延在方向に延びる延在辺を備え、
前記延在辺に連設された補強片をさらに備え、
前記保持片と前記補強片とは、前記延在辺で折り曲げられている
請求項１から３のいずれか一項に記載の巻回体収納箱。
【請求項５】
前記保持片は、前記抑え片の位置が前記閉位置である状態で、前記抑え片の左右方向の両端辺で前記底板に向けて折り曲げられ、前記前板、および、前記脇板と交差する方向に延びる板状を有する
請求項３または４に記載の巻回体収納箱。
【請求項６】
長尺物が巻かれた巻回体と、
請求項１から４のいずれか一項に記載の巻回体収納箱とを備える
巻回体入り収納箱。
【発明の詳細な説明】
【技術分野】
【０００１】
本発明は、本体部の開口部を閉じる覆板とその覆板を覆う蓋板とを備える巻回体収納箱、および、巻回体入り収納箱に関する。
【背景技術】
【０００２】
食品用ラップフィルムは、ラップフィルムがロール状に巻かれた巻回体として巻回体収納箱に収納される。巻回体収納箱は、使用に際して必要な量のラップフィルムを引き出されて、蓋に取り付けられた切断刃でラップフィルムを切断する。巻回体収納箱の一例は、巻回体の脱落や飛び出しを抑えるために、収納箱本体の前方角部にロール保持部を備える（例えば、特許文献１を参照）。
【先行技術文献】
【特許文献】
【０００３】
【特許文献１】特開平２−１５２６５０号公報
【発明の概要】
【発明が解決しようとする課題】
【０００４】
ところで、上述した巻回体収納箱では、巻回体収納箱からラップフィルムを引き出す操作に加えて、例えば、ラップフィルムが巻回体に巻き戻ってしまった場合などのように、巻回体収納箱から巻回体を一旦取り出す操作も行われる。この際、ロール保持部を備えた巻回体収納箱では、巻回体の前方角部をロール保持部が押さえつけているため、巻回体の取り出しをロール保持部材が妨げてしまう。
【０００５】
本発明は、巻回体の脱落や飛び出しを抑制可能とし、かつ、巻回体の取り出し操作を円滑に実行可能とした巻回体収納箱、および、巻回体入り収納箱を提供することを目的とする。
【課題を解決するための手段】
【０００６】
上記課題を解決するための巻回体収納箱は、長尺物が巻かれた巻回体を収納するための容器本体であって、底板と対向する開口を前板、後板、および、左右一対の脇板の各上辺で区画する前記容器本体と、一つの上辺に連設して当該上辺を回動軸として回動可能な抑え片と、前記抑え片に連設して前記抑え片と一体に回動可能な保持片と、を備える。前記抑え片は、前記開口の一部を塞ぐ閉位置と、前記開口の上方に位置して前記開口を開放する開位置とに回動し、前記保持片は、前記抑え片の位置が前記閉位置である状態で、前記容器本体内に前記巻回体を回動可能に支持し、前記抑え片の前記閉位置から前記開位置への回動に伴い、前記巻回体を支持して前記巻回体を前記開口に向けて変位させる。
上記課題を解決するための巻回体入り収納箱は、長尺物が巻かれた巻回体と、上記巻回体収納箱とを備える。
【０００７】
上記各構成によれば、抑え片が閉位置から開位置に回動するときに、抑え片と一体に回動可能な保持片が回動して、巻回体が開口に向けて変位する。そのため、巻回体の脱落や飛び出しを抑え片が抑制可能とし、かつ、巻回体の取り出し操作を保持片が円滑に実行可能とする。
【０００８】
上記巻回体収納箱において、前記保持片は、前記抑え片の位置が前記開位置である状態で、前記巻回体の外周面における前記底板側に位置し、前記巻回体の外周面に追従した弧状片であってもよい。この構成によれば、巻回体の外周面に追従した形状で保持片が巻回体を保持するため、保持片による巻回体の保持がさらに安定可能である。
【０００９】
上記巻回体収納箱において、前記抑え片が連設する上辺は、前記前板の上辺であり、前記抑え片は、前記前板の上辺における左右方向の幅のうち６０％以上の幅にわたって位置し、前記保持片は、前記抑え片の左右方向の両端に位置してもよい。この構成によれば、巻回体における左右方向の両端部で保持片が巻回体を保持するため、保持片による巻回体の保持がさらに安定可能である。
【００１０】
上記巻回体収納箱において、前記保持片は、前記保持片の延在方向に延びる延在辺を備え、前記延在辺に連設された補強片をさらに備え、前記保持片と前記補強片とは、前記延在辺で折り曲げられてもよい。この構成によれば、保持片の延在方向において、保持片の機械的な強度は、補強片によって補強される。そのため、保持片による巻回体の変位、および、保持片による巻回体の保持、これらがさらに安定可能である。
【００１１】
上記巻回体収納箱において、前記保持片は、前記抑え片の位置が前記閉位置である状態で、前記抑え片の左右方向の両端辺で前記底板に向けて折り曲げられ、前記前板、および、前記脇板と交差する方向に延びる板状を有してもよい。上記構成によれば、巻回体を保持する保持片が、巻回体の軸方向と斜めに交差するように延在する。そのため、保持片に保持された巻回体は、保持片と巻回体との接触を通して、収納箱内で上下前後、および、軸方向である左右への動きが制限され、結果として、保持片による巻回体の保持がさらに安定可能である。
【発明の効果】
【００１２】
本発明に係る巻回体収納箱、および、巻回体入り収納箱によれば、巻回体の脱落や飛び出しが抑制可能であり、かつ、巻回体の取り出し操作が円滑に実行可能である。
【図面の簡単な説明】
【００１３】
【図１】巻回体入り収納箱の一実施形態における閉蓋状態を示す斜視図。
【図２】一実施形態における巻回体入り収納箱の開蓋状態を示す斜視図。
【図３】一実施形態における巻回体入り収納箱の前方角部を示す斜視図。
【図４】（ａ）（ｂ）一実施形態における巻回体入り収納箱の前方角部の正面図、および、側面図。
【図５】一実施形態における巻回体収納箱を展開した展開図。
【図６】（ａ）（ｂ）一実施形態における巻回体入り収納箱の作用図。
【発明を実施するための形態】
【００１４】
図１〜図６を参照して、巻回体収納箱、および、巻回体入り収納箱の一実施形態について説明する。なお、図１では、長尺物が使用される前の巻回体入り収納箱の外観構成を説明する便宜上、収納容器が備える抑え片、および、保持片の図示を割愛し、巻回体入り収納箱の内部構成を示す図２において、収納容器が備える抑え片、および、保持片の一部を図示する。
【００１５】
図１が示すように、巻回体入り収納箱は、収納容器１０と、長尺物の一例であるラップフィルム５０の巻回体５０Ｒと、を備える。収納容器１０は、容器本体２０と蓋体３０とを備える。収納容器１０は、蓋体３０が閉じている状態で、一方向（左右方向）に延びる直方体状を有する。容器本体２０と蓋体３０とは、例えば、コートボール紙などの１枚の厚紙を折り曲げることによって製造される。容器本体２０を構成する各板、および、蓋体３０を構成する各板は、複数の板部材が積層された積層体として構成することも可能であり、樹脂などの紙以外の材料で構成することも可能である。
【００１６】
容器本体２０は、上面が開口した箱状を有し、前板２１、後板２２、右板２３、左板２４、および、底板２５を備える。前板２１、後板２２、右板２３、および、左板２４は、底板２５から立設する周壁を構成する。周壁の上辺は、容器本体２０の開口２０Ｔ（図２参照）を区画する。容器本体２０は、水平面に沿った一方向に延び、水平面と直交する上方向に向けて開口している。
【００１７】
容器本体２０は、ラップフィルム５０の巻回体５０Ｒを収納する。巻回体５０Ｒは、例えば、円筒状を有する紙製の管５０Ｃを備え、ラップフィルム５０が管５０Ｃに巻き付けられている。巻回体５０Ｒの軸方向Ａは、収納容器１０が延びる左右方向とほぼ平行である。ラップフィルム５０は、例えば、ポリ塩化ビニリデン、ポリ塩化ビニル、ポリエチレン、ポリメチルペンテンからなる群から選択されるいずれか１つを原材料とするフィルム、もしくは、これらを組み合わせた多層フィルムなどが挙げられ、これらに限定されるものではない。
【００１８】
なお、図１では、底板２５が水平面と当接するように収納容器１０が配置された状態、これを基準として、底板２５に対する開口２０Ｔ（図２参照）の側を上側、開口２０Ｔに対する底板２５の側を下側として説明する。
【００１９】
前板２１、後板２２、および、底板２５は、左右方向に延びる矩形板状を有する。前板２１と後板２２とは、前後方向に向かい合う。底板２５は、前板２１と後板２２との間に位置し、底板２５の前辺は、前板２１の下辺であり、底板２５の後辺は、後板２２の下辺である。右板２３、および、左板２４は、互いにほぼ同形の矩形板状を有し、左右方向に向かい合う。右板２３の下辺は、前板２１の下辺、後板２２の下辺、および、底板２５の左右辺に繋がる。左板２４の下辺もまた、前板２１の下辺、後板２２の下辺、および、底板２５の左右辺に繋がる。
【００２０】
収納容器１０の製造に際して、前板２１は、底板２５とのなす角度がほぼ直角となるように、底板２５と前板２１との境界である罫線Ｌ（図５参照）で折り曲げられる。後板２２もまた、底板２５とのなす角度がほぼ直角となるように、底板２５と後板との境界である罫線Ｌ（図５参照）で折り曲げられる。
【００２１】
右板２３は、３枚のフラップ１３Ｆ，２３Ｆ，５３Ｆ（図５参照）で構成されている。左板２４もまた、３枚のフラップ１４Ｆ，２４Ｆ，５４Ｆ（図５参照）で構成されている。
【００２２】
収納容器１０の製造に際して、右板２３の形成では、まず、後板２２に対して罫線ＬＴ（図５参照）でフラップ２３Ｆが折りたたまれ、次いで、前板２１に対して罫線ＬＴ（図５参照）でフラップ１３Ｆが折りたたまれ、最後に、底板２５に対して罫線ＬＴ（図５参照）でフラップ５３Ｆが折りたたまれる。
【００２３】
左板２４の形成でも、まず、後板２２に対して罫線ＬＴ（図５参照）でフラップ２４Ｆが折りたたまれ、次いで、前板２１に対して罫線ＬＴ（図５参照）でフラップ１４Ｆが折りたたまれ、最後に、底板２５に対して罫線ＬＴ（図５参照）でフラップ５４Ｆが折りたたまれる。そして、フラップ１３Ｆ，２３Ｆ，５３Ｆの間、および、フラップ１４Ｆ，２４Ｆ，５４Ｆの間が、ホットメルトなどの糊剤で接着される。
【００２４】
図１に戻り、蓋体３０は、上板３１、蓋前板３２、蓋右板３３、および、蓋左板３４を備える。上板３１は、底板２５とほぼ同形の矩形板状を有し、後板２２の上辺に回動可能に連設されている。上板３１は、上板３１の後辺を軸として、容器本体２０に対して回動し、容器本体２０の開口２０Ｔを開閉する。蓋体３０が開口２０Ｔを閉じた状態で、上板３１は、開口２０Ｔを覆い、底板２５と高さ方向で向かい合う。
【００２５】
蓋右板３３、および、蓋左板３４は、互いにほぼ同形の矩形板状を有する。蓋右板３３と蓋左板３４の各上辺は、上板３１における左右辺である。蓋右板３３は、蓋体３０が開口２０Ｔを閉じた状態で、右板２３の側方から右板２３の上部を覆う。蓋左板３４は、蓋体３０が開口２０Ｔを閉じた状態で、左板２４の側方から左板２４の上部を覆う。蓋右板３３、および、蓋左板３４は、上板３１の左右方向の両端部に連設された、左右で一対のフラップ３３Ｆ，３４Ｆである。各フラップ３３Ｆ，３４Ｆは、収納容器１０の製造過程において、罫線ＬＴ（図５参照）で折り曲げられて、蓋右板３３、および、蓋左板３４を構成する。
【００２６】
蓋前板３２、および、前板２１は、互いにほぼ同形の矩形板状を有する。蓋前板３２の上辺は、上板３１の前辺である。蓋前板３２は、蓋体３０が開口２０Ｔを閉じた状態で、前板２１の全体を前側から覆う。蓋前板３２は、高さ方向の中間よりも底板２５の側に、左右方向のほぼ全幅にわたり、左半円状の切り込み部３２Ｃを備える。
【００２７】
切り込み部３２Ｃの後面（内面）は、前板２１の前面と接着されている。蓋前板３２における高さ方向のほぼ中央は、左右方向の全幅にわたるミシン目線３２Ｍを備える。ミシン目線３２Ｍの左右方向における中央は、高さ方向での頂部であって、ミシン目線３２Ｍは、頂部を下方に向けたＶ字状を有する。ミシン目線３２Ｍを切断する方向は、蓋前板３２を高さ方向に２分割することに適した方向である。ミシン目線３２Ｍの右端は、ミシン目線３２Ｍに沿って蓋前板３２の切断を開始するための開封端３２Ｅである。
【００２８】
そして、開封端３２Ｅが前側に引っ張られると、ミシン目線３２Ｍで蓋前板３２が切断される。また、前板２１と蓋前板３２との接着が、切り込み部３２Ｃで引き剥がされて、蓋前板３２の左右方向の全幅が、ミシン目線３２Ｍを境にして、下側半分と上側半分とに分割される。蓋前板３２のなかでミシン目線３２Ｍに区切られた上側半分は、掩蓋板３２Ｐである。蓋前板３２のなかでミシン目線３２Ｍに区切られた下側半分は、蓋前板部分３２Ｋ（図５参照）であり、ラップフィルム５０の使用の開始に際して、容器本体２０から切り離される。なお、蓋前板３２の下側半分である蓋前板部分３２Ｋが切り離されると、掩蓋板３２Ｐの下端辺から、切断刃４０（図２を参照）の刃先の全体が露出する。そして、蓋体３０が後板２２の上辺で回動することによって、掩蓋板３２Ｐが前板２１から離れる方向へ回動し、それによって、容器本体２０の開口２０Ｔが開放される（図２を参照）。
【００２９】
掩蓋板３２Ｐは、蓋体３０が開口２０Ｔを閉じた状態で、上板３１の前辺から底板２５に向けて延びる板状を有し、前板２１の前側から前板２１の上部を覆う。掩蓋板３２Ｐにおける高さ方向の幅は、蓋体３０が開口２０Ｔを閉じた状態で、左右方向の端部よりもやや中央よりで最も小さく、左右方向の中央部で最も大きい。収納容器１０の製造に際して、掩蓋板３２Ｐは、上板３１に対して罫線Ｌ（図５参照）で折り曲げられる。
【００３０】
図２が示すように、掩蓋板３２Ｐの後面（内面）には、切断刃４０が取り付けられている。切断刃４０は、左右方向に並ぶ刃先を有した鋸刃状を有する。切断刃４０は、蓋体３０が開口２０Ｔを閉じた状態で、複数の刃先が掩蓋板３２Ｐから下方に突出するように、掩蓋板３２Ｐに接合されている。掩蓋板３２Ｐに切断刃４０を取り付ける方法は、例えば、掩蓋板３２Ｐと切断刃４０との間にシーラント材や接着層を介在させて、超音波接着によって行われる。なお、切断刃４０の刃先は、ラップフィルム５０の利用時に、掩蓋板３２Ｐから露出する構成であればよく、例えば、巻回体入り収納箱の保管時や運搬時には、他の板部材で覆われていてもよい。
【００３１】
切断刃４０を構成する材料は、特に限定されず、例えば、樹脂、あるいは、金属である。切断刃４０は、例えば、樹脂と添加剤とを含み、添加剤の種類や、その添加量によって、切断刃４０の剛性や、掩蓋板３２Ｐに対する切断刃４０の接着性を調整することができる。切断刃４０を構成する樹脂は、例えば、ポリ乳酸などのポリエステル樹脂、ポリエチレン、ポリプロピレン、ポリスチレン、アセタール樹脂、ポリフェニレンサルファイド、ＰＥＥＫ（ポリエーテルエーテルケトン）樹脂、ＰＥＳ（ポリエーテルサルフォン）樹脂である。切断刃４０を構成する添加剤は、例えば、オレフィン系樹脂などの樹脂や、硫酸バリウム、炭酸カルシウム、酸化チタン、シリカ、タルクなどの無機材料である。
【００３２】
右板２３の上部は、前後方向に延びる蓋係止片３Ｔを備える。蓋係止片３Ｔは、右板２３の上端部を右側（外側）に折り曲げた部分であり、容器本体２０の外側に突き出ている。左板２４の上部は、前後方向に延びる蓋係止片４Ｔを備える。蓋係止片４Ｔは、左板２４の上端部を左側（外側）に折り曲げた部分であり、容器本体２０の外側に突き出ている。蓋係止片３Ｔは、フラップ５３Ｆ（図５参照）の先端部であり、蓋係止片４Ｔは、フラップ５４Ｆ（図５参照）の先端部である。収納容器１０の製造に際して、蓋係止片３Ｔ，４Ｔは、フラップ５３Ｆ，５４Ｆに対して罫線ＬＴ（図５参照）で折り曲げられる。
【００３３】
掩蓋板３２Ｐは、右掩蓋フラップ３２３と左掩蓋フラップ３２４とを備える。右掩蓋フラップ３２３は、蓋右板３３の内表面を構成し、左掩蓋フラップ３２４は、蓋左板３４の内表面を構成する。右掩蓋フラップ３２３は、上板３１と離れて位置し、フラップ３３Ｆの内表面に、上板３１と右掩蓋フラップ３２３とに挟まれた窪みである段差部３３Ｓを形成する。左掩蓋フラップ３２４もまた、上板３１と離れて位置し、フラップ３４Ｆの内表面に、上板３１と左掩蓋フラップ３２４とに挟まれた窪みである段差部３４Ｓを形成する。
【００３４】
上述した各蓋係止片３Ｔ，４Ｔは、蓋体３０が開口２０Ｔを閉じるとき、これら段差部３３Ｓ，３４Ｓに嵌まり込み、クリック音を発生させて、段差部３３Ｓ，３４Ｓと係合する。各蓋係止片３Ｔ，４Ｔは、閉状態で上板３１が浮き上がることを抑える。
【００３５】
容器本体２０は、左右方向に延びる抑え片２６を備える。抑え片２６の前辺は、前板２１における上辺２１Ｔである。抑え片２６は、前板２１の上辺２１Ｔを介して、前板２１に連設されている。抑え片２６は、前板２１の上辺２１Ｔを回動軸として、開口２０Ｔの一部を塞ぐ閉位置と、開口２０Ｔの上方に位置して開口２０Ｔを開放する開位置とに回動する。
【００３６】
閉位置での抑え片２６は、開口２０Ｔの一部（前側）を覆い、巻回体５０Ｒが容器本体２０から脱落したり開口２０Ｔから飛び出したりすることを抑える。また、閉位置での抑え片２６は、容器本体２０内にラップフィルム５０が巻き戻ることを抑える。すなわち、閉位置での抑え片２６は、開口２０Ｔからラップフィルム５０の端を引き出すための操作を可能とする。開口２０Ｔから引き出されたラップフィルム５０は、抑え片２６の上方に引き出される。
【００３７】
開位置での抑え片２６は、開口２０Ｔを開放して、ラップフィルム５０の先端を開口２０Ｔから引き出しやすくすること、また、巻回体５０Ｒを容器本体２０から取り出すことを可能とする。
【００３８】
容器本体２０は、左右で一対の保持片２７、および、補強片２８（図３参照）を備える。抑え片２６は、左右で一対の端辺２６Ｌを備える。保持片２７は、抑え片２６の各端辺２６Ｌを介して、抑え片２６に連設されている。補強片２８は、保持片２７の前端辺（延在辺２８Ｌ（図３参照））を介して、保持片２７に連設されている。
【００３９】
前板２１の上辺２１Ｔを回動軸として抑え片２６が回動するとき、保持片２７、および、補強片２８は、抑え片２６と共に回動する。例えば、抑え片２６が上辺２１Ｔを回動軸として閉位置から開位置へ９０°だけ回動するとき、保持片２７、および、補強片２８もまた、上辺２１Ｔを回動軸として９０°だけ上方に向けて回動する。また例えば、抑え片２６が上辺２１Ｔを回動軸として開位置から閉位置へ−９０°だけ回動するとき、保持片２７、および、補強片２８もまた、上辺２１Ｔを回動軸として−９０°だけ下方に向けて回動する。
【００４０】
以下、保持片２７、および、補強片２８の構成について詳細に説明する。なお、抑え片２６における右側の端辺２６Ｌに連設された保持片２７と、抑え片２６における左側の端辺２６Ｌに連設された保持片２７とは、左右で対象となる構成を備えて、巻回体５０Ｒに対して同様の機能を備える。そのため、以下では、抑え片２６における右側の端辺２６Ｌに連設された保持片２７、および、当該保持片２７に連設された補強片２８について詳細に説明する。
【００４１】
図３が示すように、閉位置での抑え片２６の端辺２６Ｌは、前板２１の上辺２１Ｔ、および、右板２３の上辺２３Ｔに対して交差する方向に延びる。保持片２７は、抑え片２６の端辺２６Ｌから底板２５に向けて延びる。保持片２７は、抑え片２６の位置が開位置である状態で、巻回体５０Ｒの外表面における底板２５側に位置するように構成されている（図６（ｂ）参照）。保持片２７は、巻回体５０Ｒの外周面に追従した形状を有する弧状片である。保持片２７は、後方から前方に向けて窪む半円弧状の支持辺２７Ｌを備える。支持辺２７Ｌは、管５０Ｃの曲率よりも若干小さい曲率を有し、巻回体５０Ｒの右端に対して、その前側、前方上側、および、前方下側に位置している。
【００４２】
補強片２８は、保持片２７の延在辺２８Ｌを介して、保持片２７に連設されている。保持片２７と補強片２８とは、延在辺２８Ｌで折り曲げられている。補強片２８は、上方に頂点を有して下方に底辺を有した三角板状を有している。補強片２８は、右板２３の内面に沿って広がっている。
【００４３】
収納容器１０の製造に際して、保持片２７は、抑え片２６とのなす角度θ１がほぼ直角となるように、抑え片２６と保持片２７との境界である罫線ＬＳ（端辺２６Ｌ：図５参照）で折り曲げられる。また、補強片２８は、保持片２７とのなす角度θ２が４５°程度となるように、保持片２７と補強片２８との境界である罫線ＬＳ（延在辺２８Ｌ：図５参照）で折り曲げられる。
【００４４】
図４（ａ）が示すように、前板２１の内面と対向する方向から見て、保持片２７の支持辺２７Ｌは、管５０Ｃの上下方向のほぼ全体と重なる。また、前板２１の内面と対向する方向から見て、保持片２７の支持辺２７Ｌは、巻回体５０Ｒにおけるラップフィルム５０の上下両端とほぼ重なる。すなわち、保持片２７の支持辺２７Ｌは、巻回体５０Ｒの軸方向において、管５０Ｃの端部、および、巻回体５０Ｒにおけるラップフィルム５０の端部とほぼ重なる。保持片２７の底辺は、弧状を有し、延在辺２８Ｌで最も底板２５に近く、かつ、右板２３から左板２４に向けて徐々に、底板２５から離れる形状を有する。
【００４５】
図４（ｂ）が示すように、左板２４の内面と対向する方向から見て、保持片２７の支持辺２７Ｌは、上下方向の両端部において、前方から後方に向けて凸となる曲率を有し、上下方向の中間部において、後方から前方に向けて凸となる曲率を有する。また、保持片２７の支持辺２７Ｌは、上下方向の中間部において、管５０Ｃの曲率よりも若干小さい曲率を有し、上下方向の両端部において、中間部よりも十分に大きい曲率を有する。すなわち、保持片２７の支持辺２７Ｌは、上下方向の中間部において、管５０Ｃの周方向に沿う形状を有し、上下方向の両端部において、巻回体５０Ｒの周方向と大きく交差する。また、保持片２７の底辺は、前板２１に近い部位ほど底板２５に近く、反対に、後板２２に近い部位ほど上板３１に近い。保持片２７の底辺は、左板２４の内面と対向する方向から見て、前板２１の上辺２１Ｔを中心とする円弧よりも、後板２２に近い部位ほど上板３１に近い。このような形状を有することで、抑え片２６が回動したときに保持片２７の底辺が後板２２の内面に引っ掛かってしまい、巻回体５０Ｒが取り出せなくなることを抑制することができる。
【００４６】
［作用］
ここで、ラップフィルム５０が巻回体５０Ｒに巻き戻ってしまった場合、利用者は、巻回体収納箱から巻回体５０Ｒを一旦取り出す取り出し操作を行う。
【００４７】
図６（ａ）が示すように、取り出し操作では、まず、開口２０Ｔが開放されるように、後板２２の上辺を回動軸として蓋体３０が回動される。この際、抑え片２６は、閉位置に配置され、保持片２７は、巻回体５０Ｒの前側に配置されている。
【００４８】
図６（ｂ）が示すように、開口２０Ｔが開放されると、抑え片２６が、上辺２１Ｔを回動軸として、閉位置から開位置に回動される。これに伴い、保持片２７、および、補強片２８は、開口２０Ｔに向けて引き上げられる。この際、保持片２７は、巻回体５０Ｒを底板２５から汲み上げるように、巻回体５０Ｒを開口２０Ｔに向けて変位させる。そのため、抑え片２６を閉位置から開位置に回動させるだけで、巻回体５０Ｒの取り出し操作が実行可能となる。結果として、巻回体５０Ｒと後板２２との狭い隙間に指などを差し込んで巻回体５０Ｒを開口２０Ｔから転がり出させるような操作を強いることなく、巻回体５０Ｒの取り出し操作が実行可能とする。なお、抑え片２６の回動は、保持片２７の底辺が後板２２の内面と当接することによって止められて、これによって、抑え片２６が開位置よりもさらに回動することを止めることが好ましい。保持片２７の底辺と後板２２の内面とが当接する構成であれば、抑え片２６の過度な操作によって保持片２７が開口２０Ｔの外側に変位して巻回体５０Ｒが保持片２７から脱落することが抑制可能である。
【００４９】
以上、上記実施形態によれば、以下に列挙する効果が得られる。
（１）抑え片２６が閉位置から開位置に回動するときに、抑え片２６と一体に回動可能な保持片２７が、抑え片２６と共に回動して、巻回体５０Ｒを開口２０Ｔに向けて変位させる。そのため、抑え片２６が巻回体５０Ｒの脱落や飛び出しを抑制し、かつ、巻回体５０Ｒの取り出し操作を円滑に実行できる。
【００５０】
（２）保持片２７が巻回体５０Ｒの外周面に追従した弧状片であるため、抑え片２６が開位置に位置するときに、保持片２７による巻回体５０Ｒの保持がさらに安定可能である。
【００５１】
（３）保持片２７が抑え片２６の左右方向の両端に位置するため、巻回体５０Ｒにおける左右方向の両端部で保持片２７が巻回体５０Ｒを保持可能である。そのため、保持片２７による巻回体５０Ｒの保持がさらに安定可能である。
【００５２】
（４）保持片２７の延在辺２８Ｌを介して、保持片２７と補強片２８とが連設されるため、保持片２７の延在方向において、保持片２７の機械的な強度が向上可能である。そして、保持片２７による巻回体５０Ｒの変位、および、保持片２７による巻回体５０Ｒの保持、これらがさらに安定可能である。
（５）また、保持片２７の機械的な強度が高められるため、補強片２８により巻回体５０Ｒの取り出し操作の繰り返しに対して、保持片２７の耐久性が向上可能でもある。
【００５３】
（６）保持片２７が軸方向Ａと斜めに交差するように延在するため、保持片２７に保持された巻回体５０Ｒは、保持片２７と巻回体５０Ｒとの接触を通して、軸方向Ａ、および、巻回体５０Ｒの周方向にずれ難くなる。結果として、保持片２７による巻回体５０Ｒの保持がさらに安定可能である。
【００５４】
（７）巻回体５０Ｒの取り出し操作が実行される都度、巻回体５０Ｒの位置は、保持片２７に対して、軸方向Ａに若干のずれを生じる。この点、保持片２７の支持辺２７Ｌは、軸方向Ａにおいて、管５０Ｃの端部、および、巻回体５０Ｒのラップフィルム５０における端部と重なる。すなわち、保持片２７と巻回体５０Ｒとの接触可能な範囲は、軸方向Ａに所定の幅を有する。そのため、巻回体５０Ｒが保持片２７に対して軸方向Ａにずれる場合であっても、保持片２７による巻回体５０Ｒの保持が実現可能である。
【００５５】
（８）保持片２７の支持辺２７Ｌは、上下方向の両端部において、巻回体５０Ｒの周方向と大きく交差する。すなわち、保持片２７の支持辺２７Ｌは、ラップフィルム５０と接触可能な範囲において、巻回体５０Ｒの周方向と大きく滑らかに交差する。そのため、保持片２７とラップフィルム５０とが接触する場合であっても、その接触に起因してラップフィルム５０に縦裂けが形成されることを抑制可能である。
【００５６】
なお、上記実施形態は、以下のように変更して実施することができる。
［抑え片２６］
・抑え片２６が連設される上辺は、後板２２の上辺、または左右脇板の上辺のいずれか一方に変更可能である。
【００５７】
・抑え片２６の左右方向での幅は、前板２１の上辺２１Ｔよりも短縮可能である。なお、抑え片２６の左右両端に保持片２７が備えられる構成では、抑え片２６の左右方向での幅が、上辺２１Ｔの左右方向の幅のうち６０％以上であることが好ましい。この構成によれば、抑え片２６による上記（１）に準じた効果が高められ、かつ、保持片２７による上記（３）に準じた効果が得られやすくなる。
【００５８】
・抑え片２６の形状は、左右方向に延びる緩やかなＶ字状としたが、それに限定されるものではなく、例えば、左右方向に延びる直線状のように、Ｖ字状以外の形状でもよい。
［保持片２７］
【００５９】
・保持片２７の形状は、端辺２６Ｌ、あるいは、上辺２３Ｔから管５０Ｃの中心に向けて下方に延び、かつ、管５０Ｃの内部に向けて折り曲げられた舌片を有した曲げ板状に変更可能である。この際、保持片２７が巻回体５０Ｒを回動可能に支持する位置は、管５０Ｃの内面である。
・保持片２７の形状は、抑え片２６が開位置であるときに、巻回体５０Ｒを下方から支持するように、上方に開口したコ字状に変更可能である。
【００６０】
・保持片２７は、抑え片２６の左右方向両端に位置しなくてもよい。抑え片２６における左右方向の中央や、抑え片２６における左右方向の両端と中央との間に配置可能である。この際、抑え片２６の左右両端から保持片２７を省略可能である。
・保持片２７の支持辺２７Ｌは、管５０Ｃに沿うのではなく、巻回体５０Ｒに沿って巻回体５０Ｒを直接支持してもよい。
・容器本体２０と蓋体３０とは、別体として構成することも可能である。
・長尺物は、アルミニウム箔やクッキングシートに変更することも可能である。
【符号の説明】
【００６１】
Ａ…軸方向、Ｌ，ＬＳ，ＬＴ…罫線、θ１，θ２…角度、３Ｔ，４Ｔ…蓋係止片、１０…収納容器、１３Ｆ，１４Ｆ，２３Ｆ，２４Ｆ，３３Ｆ，３４Ｆ，５３Ｆ，５４Ｆ…フラップ、２０…容器本体、２０Ｔ…開口、２１…前板、２１Ｔ，２３Ｔ…上辺、２２…後板、２３…右板、２４…左板、２５…底板、２６…抑え片、２６Ｌ…端辺、２７…保持片、２７Ｌ…支持辺、２８…補強片、２８Ｌ…延在辺、３０…蓋体、３１…上板、３２…蓋前板、３２Ｃ…切り込み部、３２Ｅ…開封端、３２Ｋ…蓋前板部分、３２Ｍ…ミシン目線、３２Ｐ…掩蓋板、３３…蓋右板、３３Ｓ…段差部、３４…蓋左板、３４Ｓ…段差部、４０…切断刃、５０…ラップフィルム、５０Ｃ…管、５０Ｒ…巻回体、３２３…右掩蓋フラップ、３２４…左掩蓋フラップ。
【図１】
2019172338.tif 000003
【図２】
2019172338.tif 000004
【図３】
2019172338.tif 000005
【図４】
2019172338.tif 000006
【図５】
2019172338.tif 000007
【図６】
2019172338.tif 000008